(57)【特許請求の範囲】
【請求項１】
参照信号送信方法であって、
ネットワークノードによって、端末に参照信号の構成情報を送るステップであって、前記参照信号の前記構成情報は、リソースユニットタイプとリソースユニット量とを備える、ステップと、
前記ネットワークノードによって、少なくとも１つのリソースユニットに前記参照信号をマッピングすることによって前記参照信号を送るステップであって、前記少なくとも１つのリソースユニットは、複数のサブリソースユニットを備え、前記リソースユニットタイプは、前記少なくとも１つのリソースユニットの前記複数のサブリソースユニットに前記ネットワークノードによってマッピングされた前記参照信号が同じ参照信号特性を有するかどうかを示す、ステップと、
前記端末から前記ネットワークノードによって、前記複数のサブリソースユニットの部分に関係する測定情報を受信するステップと
を備え、
前記リソースユニット量は１であり、前記リソースユニットタイプは、前記１つのリソースユニットの前記複数のサブリソースユニットに前記ネットワークノードによってマッピングされた前記参照信号が異なる参照信号特性を有することを示すとき、前記複数のサブリソースユニットの前記部分に関係する前記測定情報は、前記複数のサブリソースユニットの前記部分に対応する前記参照信号の測定値と前記参照信号のリソースインデックスとを備える、参照信号送信方法。
【請求項２】
前記リソースユニット量は１であり、前記リソースユニットタイプは、当該１つのリソースユニットの前記複数のサブリソースユニットに前記ネットワークノードによってマッピングされた前記参照信号が同じ参照信号特性を有することを示すとき、前記複数のサブリソースユニットの前記部分に関係する前記測定情報は、前記複数のサブリソースユニットの前記部分に対応する前記参照信号の測定値を備える請求項１に記載の方法。
【請求項３】
前記同じ参照信号特性は、同じ送信ビーム、同じプリコーディング、同じビーム識別子、または同じプリコーディング識別子のうちの少なくとも１つを含む請求項１に記載の方法。
【請求項４】
前記測定値は、参照信号受信電力（ＲＳＲＰ）を備える請求項１に記載の方法。
【請求項５】
前記参照信号は、チャネル状態情報参照信号を備える請求項１に記載の方法。
【請求項６】
参照信号送信方法であって、
端末によって、ネットワークノードから参照信号の構成情報を受信するステップであって、前記参照信号の前記構成情報は、リソースユニットタイプとリソースユニット量とを備える、ステップと、
前記構成情報に基づいて前記端末によって、少なくとも１つのリソースユニットにマッピングされた前記参照信号を受信し、測定するステップであって、前記少なくとも１つのリソースユニットは、複数のサブリソースユニットを備え、前記リソースユニットタイプは、前記少なくとも１つのリソースユニットの前記複数のサブリソースユニットにマッピングされた前記参照信号が同じ参照信号特性を有するかどうかを示す、ステップと、
前記ネットワークノードに前記端末によって、前記複数のサブリソースユニットの部分に関係する測定情報をステップと
を備え、
前記リソースユニット量は１であり、前記リソースユニットタイプは、当該１つのリソースユニットの前記複数のサブリソースユニットにマッピングされた前記参照信号が異なる参照信号特性を有することを示すとき、前記複数のサブリソースユニットの前記部分に関係する前記測定情報は、前記複数のサブリソースユニットの前記部分に対応する前記参照信号の測定値と前記参照信号のリソースインデックスとを備える、参照信号送信方法。
【請求項７】
前記リソースユニット量は１であり、前記リソースユニットタイプは、当該１つのリソースユニットの前記複数のサブリソースユニットにマッピングされた前記参照信号が同じ参照信号特性を有することを示すとき、前記複数のサブリソースユニットの前記部分に関係する前記測定情報は、前記複数のサブリソースユニットの前記部分に対応する前記参照信号の測定値を備える請求項６に記載の方法。
【請求項８】
前記同じ参照信号特性は、同じ送信ビーム、同じプリコーディング、同じビーム識別子、または同じプリコーディング識別子のうちの少なくとも１つを含む請求項６に記載の方法。
【請求項９】
前記測定値は、参照信号受信電力（ＲＳＲＰ）を備える請求項６に記載の方法。
【請求項１０】
前記参照信号は、チャネル状態情報参照信号を備える請求項６に記載の方法。
【請求項１１】
ネットワークノードであって、
プロセッサと、
前記プロセッサに結合されたメモリであって、前記メモリは、前記プロセッサによって実行されたとき、前記ネットワークノードに、
端末に参照信号の構成情報を送ることであって、前記参照信号の前記構成情報は、リソースユニットタイプとリソースユニット量とを備える、ことと、
少なくとも１つのリソースユニットに前記参照信号をマッピングすることによって前記参照信号を送ることであって、前記少なくとも１つのリソースユニットは、複数のサブリソースユニットを備え、前記リソースユニットタイプは、前記少なくとも１つのリソースユニットの前記複数のサブリソースユニットに前記ネットワークノードによってマッピングされた前記参照信号が同じ参照信号特性を有するかどうかを示す、ことと、
前記端末から、前記複数のサブリソースユニットの部分に関係する測定情報を受信することと
を行わせる命令を備える、メモリと
を備え、
前記リソースユニット量は１であり、前記リソースユニットタイプは、当該１つのリソースユニットの前記複数のサブリソースユニットに前記ネットワークノードによってマッピングされた前記参照信号が異なる参照信号特性を有することを示すとき、前記複数のサブリソースユニットの前記部分に関係する前記測定情報は、前記複数のサブリソースユニットの前記部分に対応する前記参照信号の測定値と前記参照信号のリソースインデックスとを備える、ネットワークノード。
【請求項１２】
前記リソースユニット量は１であり、前記リソースユニットタイプは、当該１つのリソースユニットの前記複数のサブリソースユニットに前記ネットワークノードによってマッピングされた前記参照信号が同じ参照信号特性を有することを示すとき、前記複数のサブリソースユニットの前記部分に関係する前記測定情報は、前記複数のサブリソースユニットの前記部分に対応する前記参照信号の測定値を備える請求項１１に記載のネットワークノード。
【請求項１３】
前記同じ参照信号特性は、同じ送信ビーム、同じプリコーディング、同じビーム識別子、または同じプリコーディング識別子のうちの少なくとも１つを含む請求項１１に記載のネットワークノード。
【請求項１４】
前記測定値は、参照信号受信電力（ＲＳＲＰ）を備える請求項１１に記載のネットワークノード。
【請求項１５】
前記参照信号は、チャネル状態情報参照信号を備える請求項１１に記載のネットワークノード。
【請求項１６】
端末であって、
プロセッサと、
前記プロセッサに結合されたメモリであって、前記メモリは、前記プロセッサによって実行されたとき、前記端末に、
ネットワークノードから参照信号の構成情報を受信することであって、前記参照信号の前記構成情報は、リソースユニットタイプとリソースユニット量とを備える、ことと、
前記構成情報に基づいて、少なくとも１つのリソースユニットにマッピングされた前記参照信号を受信し、測定することであって、前記少なくとも１つのリソースユニットは、複数のサブリソースユニットを備え、前記リソースユニットタイプは、前記少なくとも１つのリソースユニットの前記複数のサブリソースユニットにマッピングされた前記参照信号が同じ参照信号特性を有するかどうかを示す、ことと、
前記複数のサブリソースユニットの部分に関係する測定情報を送ることと
を行わせる命令を備える、メモリと
を備え、
前記リソースユニット量は１であり、前記リソースユニットタイプは、当該１つのリソースユニットの前記複数のサブリソースユニットにマッピングされた前記参照信号が異なる参照信号特性を有することを示すとき、前記複数のサブリソースユニットの前記部分に関係する前記測定情報は、前記複数のサブリソースユニットの前記部分に対応する前記参照信号の測定値と前記参照信号のリソースインデックスとを備える、端末。
【請求項１７】
前記リソースユニット量は１であり、前記リソースユニットタイプは、当該１つのリソースユニットの前記複数のサブリソースユニットにマッピングされた前記参照信号が同じ参照信号特性を有することを示すとき、前記複数のサブリソースユニットの前記部分に関係する前記測定情報は、前記複数のサブリソースユニットの前記部分に対応する前記参照信号の測定値を備える請求項１６に記載の端末。
【請求項１８】
前記同じ参照信号特性は、同じ送信ビーム、同じプリコーディング、同じビーム識別子、または同じプリコーディング識別子のうちの少なくとも１つを含む請求項１６に記載の端末。
【請求項１９】
前記測定値は、参照信号受信電力（ＲＳＲＰ）を備える請求項１６に記載の端末。
【請求項２０】
前記参照信号は、チャネル状態情報参照信号を備える請求項１６に記載の端末。
【請求項２１】
コンピュータによって実行されたとき、請求項１から５のうちのいずれか一項の前記方法が実行される命令を備える、コンピュータ可読記憶媒体。
【請求項２２】
コンピュータによって実行されたとき、請求項６から１０のうちのいずれか一項の前記方法が実行される命令を備える、コンピュータ可読記憶媒体。
【請求項２３】
コンピュータによって実行されたとき、請求項１から５のうちのいずれか一項の前記方法が実行される命令を備える、コンピュータプログラム。
【請求項２４】
コンピュータによって実行されたとき、請求項６から１０のうちのいずれか一項の前記方法が実行される命令を備える、コンピュータプログラム。
【発明の詳細な説明】
【技術分野】
【０００１】
本出願は、２０１７年１月６日に中国特許庁に出願された「ＲＥＦＥＲＥＮＣＥ  ＳＩＧＮＡＬ  ＴＲＡＮＳＭＩＳＳＩＯＮ  ＭＥＴＨＯＤ，  ＡＮＤ  ＡＰＰＡＲＡＴＵＳ」と題する中国特許出願第２０１７１００１１０１９．Ｘ号の優先権を主張し、その全体が参照により本明細書に組み込まれる。
【０００２】
本出願は、モバイル通信技術の分野に関し、特に、参照信号送信方法および装置に関する。
【背景技術】
【０００３】
モバイル通信技術の発展とともに、通信レートおよび容量についての要件がますます増加している。第３世代パートナーシッププロジェクト３ＧＰＰ（３ｒｄ  Ｇｅｎｅｒａｔｉｏｎ  Ｐａｒｔｎｅｒｓｈｉｐ  Ｐｒｏｊｅｃｔ）は、次世代の発展型無線システム（Ｎｅｗ  Ｒａｄｉｏ、ＮＲ）におけるシステム設計に高周波数帯域を考慮に入れている。高周波数帯域上では、カバレージは、ビームフォーミング技術を使用することによって向上され得る。基地局と端末とは、複数のビームを使用することによって互いに通信し得る。ダウンリンク送信では、基地局側での最適な送信ビームと端末側での最適な受信ビームとを決定するために、基地局は、複数のビーム上でチャネル状態情報参照信号（Ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）を送る必要がある。端末は、参照信号を受信するために複数のビームを使用し、測定を通して参照信号受信電力（Ｒｅｆｅｒｅｎｃｅ  Ｓｉｇｎａｌ  Ｒｅｃｅｐｔｉｏｎ  Ｐｏｗｅｒ、ＲＳＲＰ）または信号対干渉雑音比（Ｓｉｇｎａｌ  ｔｏ  Ｉｎｔｅｒｆｅｒｅｎｃｅ  ａｎｄ  Ｎｏｉｓｅ  Ｒａｔｉｏ、ＳＩＮＲ）を別々に取得した後に測定情報を報告する。基地局は、最適なビームを決定する。
【０００４】
上記の測定情報の報告解決策は、最適化される必要がある。
【発明の概要】
【０００５】
本出願は、報告された測定情報によって占有されるチャネルリソースの量を低減するための参照信号送信方法および装置を提供する。
【０００６】
第１の態様によれば、参照信号送信方法であって、
ネットワークノードによって、少なくとも１つのリソースユニットに参照信号をマッピングすることによって参照信号を送ることであって、少なくとも１つのリソースユニットが、複数のサブリソースユニットを備える、ことと、
端末からネットワークノードによって、複数のサブリソースユニットの部分に関係する測定情報を受信することと
を含む、参照信号送信方法が提供される。
【０００７】
第１の態様に関して、第１の可能な実装では、本方法は、
ネットワークノードによって、端末に参照信号の構成情報を送ること
をさらに含む。
【０００８】
第１の態様の第１の可能な実装に関して、第２の可能な実装では、参照信号の構成情報は、リソースユニットタイプ、リソースユニットサイズ、リソースユニット量、およびリソースユニットシーケンスの情報のうちの少なくとも１つを備える。
【０００９】
第１の態様の第２の可能な実装に関して、第３の可能な実装では、リソースユニットタイプは、少なくとも１つのリソースユニットの複数のサブリソースユニットにネットワークノードによってマッピングされた参照信号が同じ参照信号特性または関連付けられた参照信号特性を有するかどうかを示す。
【００１０】
第１の態様の第２のまたは第３の可能な実装に関して、第４の可能な実装では、
リソースユニット量は１であり、リソースユニットタイプは、１つのリソースユニットの複数のサブリソースユニットにネットワークノードによってマッピングされた参照信号が異なる参照信号特性または関連付けられていない参照信号特性を有することを示すとき、複数のサブリソースユニットの部分に関係する測定情報は、複数のサブリソースユニットの部分のインデックスと複数のサブリソースユニットの部分に対応する参照信号の測定値とを備える。
【００１１】
第１の態様の第２のまたは第３の可能な実装に関して、第５の可能な実装では、
リソースユニット量は２以上であり、リソースユニットタイプは、少なくとも１つのリソースユニットのうちの１つの複数のサブリソースユニットにネットワークノードによってマッピングされた参照信号が異なる参照信号特性または関連付けられていない参照信号特性を有することを示すとき、複数のサブリソースユニットの部分に関係する測定情報は、複数のサブリソースユニットの部分のインデックスと複数のサブリソースユニットの部分に対応する参照信号の測定値とを備える。
【００１２】
第１の態様の第２のまたは第３の可能な実装に関して、第６の可能な実装では、
リソースユニット量は１であり、リソースユニットタイプは、１つのリソースユニットの複数のサブリソースユニットにネットワークノードによってマッピングされた参照信号が同じ参照信号特性または関連付けられた参照信号特性を有することを示すとき、複数のサブリソースユニットの部分に関係する測定情報は、複数のサブリソースユニットの部分に対応する参照信号の測定値を備える。
【００１３】
第１の態様の第２のまたは第３の可能な実装に関して、第７の可能な実装では、
リソースユニット量は２以上であり、リソースユニットタイプは、少なくとも１つのリソースユニットのうちの１つの複数のサブリソースユニットにネットワークノードによってマッピングされた参照信号が同じ参照信号特性または関連付けられた参照信号特性を有することを示すとき、複数のサブリソースユニットの部分に関係する測定情報は、複数のリソースユニットの部分のインデックスと複数のリソースユニットの部分に対応する参照信号の測定値とを備える。
【００１４】
第１の態様の第２のまたは第３の可能な実装に関して、第８の可能な実装では、
リソースユニット量は２以上であり、リソースユニットタイプは、少なくとも１つのリソースユニットのうちの第１のリソースユニットの複数のサブリソースユニットにネットワークノードによってマッピングされた参照信号が同じ参照信号特性または関連付けられた参照信号特性を有することと、少なくとも１つのリソースユニットの第２のリソースユニットの複数のサブリソースユニットにネットワークノードによってマッピングされた参照信号が異なる参照信号特性または関連付けられていない参照信号特性を有することとを示すとき、複数のサブリソースユニットの部分に関係する測定情報は、少なくとも１つのリソースユニットの第２のリソースユニットのサブリソースユニットの部分のインデックスとサブリソースユニットの部分に対応する参照信号の測定値とを備える。
【００１５】
第１の態様の第３から第８の可能な実装のうちのいずれか１つに関して、第９の可能な実装では、
同じ参照信号特性は、同じ送信ビーム、同じプリコーディング、同じビーム識別子、同じプリコーディング識別子、同じ発射角、および同じアンテナポートの特性のうちの少なくとも１つを含み、
関連付けられた参照信号特性は、擬似コロケーションＱＣＬ関係を含む。
【００１６】
上記の可能な実装のうちのいずれか１つに関して、第１０の可能な実装では、測定情報は、リソースユニットインデックスと、サブリソースユニットインデックスと、測定値との情報のうちの少なくとも１つを含む。
【００１７】
第１の態様の第１０の可能な実装に関して、第１１の可能な実装では、測定値は、参照信号受信電力ＲＳＲＰ、ＲＳＲＰ量子化値、チャネル品質インジケータＣＱＩ、信号対干渉雑音比ＳＩＮＲ、ＳＩＮＲ量子化値、プリコーディング行列指示ＰＭＩ、およびランク指示ＲＩの情報のうちの少なくとも１つを含む。
【００１８】
第２の態様によれば、参照信号送信方法であって、
端末によって、ネットワークノードから参照信号の構成情報を受信することと、
構成情報に基づいて、端末によって、少なくとも１つのリソースユニットにマッピングされた参照信号を受信し、測定することであって、少なくとも１つのリソースユニットは、複数のサブリソースユニットを備える、ことと、
ネットワークノードに、端末によって、複数のサブリソースユニットの部分に関係する測定情報を送ることと
を含む、参照信号送信方法が提供される。
【００１９】
第２の態様に関して、第１の可能な実装では、参照信号の構成情報は、リソースユニットタイプ、リソースユニットサイズ、リソースユニット量、およびリソースユニットシーケンスの情報のうちの少なくとも１つを備える。
【００２０】
第２の態様の第１の可能な実装に関して、第２の可能な実装では、リソースユニットタイプは、少なくとも１つのリソースユニットの複数のサブリソースユニットにネットワークノードによってマッピングされた参照信号が同じ参照信号特性または関連付けられた参照信号特性を有するかどうかを示す。
【００２１】
第２の態様の第１のまたは第２の可能な実装に関して、第３の可能な実装では、
リソースユニット量は１であり、リソースユニットタイプは、１つのリソースユニットの複数のサブリソースユニットにネットワークノードによってマッピングされた参照信号が異なる参照信号特性または関連付けられていない参照信号特性を有することを示すとき、複数のサブリソースユニットの部分に関係する測定情報は、複数のサブリソースユニットの部分のインデックスと複数のサブリソースユニットの部分に対応する参照信号の測定値とを備える。
【００２２】
第２の態様の第１のまたは第２の可能な実装に関して、第４の可能な実装では、リソースユニット量は２以上であり、リソースユニットタイプは、少なくとも１つのリソースユニットのうちの１つの複数のサブリソースユニットにネットワークノードによってマッピングされた参照信号が異なる参照信号特性または関連付けられていない参照信号特性を有することを示すとき、複数のサブリソースユニットの部分に関係する測定情報は、複数のサブリソースユニットの部分のインデックスと複数のサブリソースユニットの部分に対応する参照信号の測定値とを備える。
【００２３】
第２の態様の第１のまたは第２の可能な実装に関して、第５の可能な実装では、リソースユニット量は１であり、リソースユニットタイプは、１つのリソースユニットの複数のサブリソースユニットにネットワークノードによってマッピングされた参照信号が同じ参照信号特性または関連付けられた参照信号特性を有することを示すとき、複数のサブリソースユニットの部分に関係する測定情報は、複数のサブリソースユニットの部分に対応する参照信号の測定値を備える。
【００２４】
第２の態様の第１のまたは第２の可能な実装に関して、第６の可能な実装では、リソースユニット量は２以上であり、リソースユニットタイプは、少なくとも１つのリソースユニットのうちの１つの複数のサブリソースユニットにネットワークノードによってマッピングされた参照信号が同じ参照信号特性または関連付けられた参照信号特性を有することを示すとき、複数のサブリソースユニットの部分に関係する測定情報は、複数のリソースユニットの部分のインデックスと複数のリソースユニットの部分に対応する参照信号の測定値とを備える。
【００２５】
第２の態様の第１のまたは第２の可能な実装に関して、第７の可能な実装では、リソースユニット量は２以上であり、リソースユニットタイプは、少なくとも１つのリソースユニットのうちの第１のリソースユニットの複数のサブリソースユニットにネットワークノードによってマッピングされた参照信号が同じ参照信号特性または関連付けられた参照信号特性を有することと、少なくとも１つのリソースユニットの第２のリソースユニットの複数のサブリソースユニットにネットワークノードによってマッピングされた参照信号が異なる参照信号特性または関連付けられていない参照信号特性を有することとを示すとき、複数のサブリソースユニットの部分に関係する測定情報は、少なくとも１つのリソースユニットの第２のリソースユニットのサブリソースユニットの部分のインデックスとサブリソースユニットの部分に対応する参照信号の測定値とを備える。
【００２６】
第２の態様の第２から第７の可能な実装のうちのいずれか１つに関して、第８の可能な実装では、同じ参照信号特性は、同じ送信ビーム、同じプリコーディング、同じビーム識別子、同じプリコーディング識別子、同じ発射角、および同じアンテナポートの特性のうちの少なくとも１つを含み、
関連付けられた参照信号特性は、擬似コロケーションＱＣＬ関係を含む。
【００２７】
上記の可能な実装のうちのいずれか１つに関して、第９の可能な実装では、測定情報は、リソースユニットインデックス、サブリソースユニットインデックス、および測定値の情報のうちの少なくとも１つを含む。
【００２８】
第２の態様の第９の可能な実装に関して、第１０の可能な実装では、測定値は、参照信号受信電力ＲＳＲＰ、ＲＳＲＰ量子化値、チャネル品質インジケータＣＱＩ、信号対干渉雑音比ＳＩＮＲ、ＳＩＮＲ量子化値、プリコーディング行列指示ＰＭＩ、およびランク指示ＲＩの情報のうちの少なくとも１つを含む。
【００２９】
第３の態様によれば、ネットワークノードであって、
少なくとも１つのリソースユニットに参照信号をマッピングするように構成されたプロセッサであって、少なくとも１つのリソースユニットが、複数のサブリソースユニットを備える、プロセッサと、
参照信号を送り、端末から、複数のサブリソースユニットの部分に関係する測定情報を受信するように構成されたトランシーバと
を含む、ネットワークノードを提供する。
【００３０】
第３の態様に関して、第１の可能な実装では、
トランシーバは、端末に参照信号の構成情報を送るようにさらに構成される。
【００３１】
第３の態様の第１の可能な実装に関して、第２の可能な実装では、参照信号の構成情報は、リソースユニットタイプ、リソースユニットサイズ、リソースユニット量、およびリソースユニットシーケンスの情報のうちの少なくとも１つを備える。
【００３２】
第３の態様の第２の可能な実装に関して、第３の可能な実装では、リソースユニットタイプは、少なくとも１つのリソースユニットの複数のサブリソースユニットにネットワークノードによってマッピングされた参照信号が同じ参照信号特性または関連付けられた参照信号特性を有するかどうかを示す。
【００３３】
第３の態様の第２のまたは第３の可能な実装に関して、第４の可能な実装では、
リソースユニット量は１であり、リソースユニットタイプは、１つのリソースユニットの複数のサブリソースユニットにネットワークノードによってマッピングされた参照信号が異なる参照信号特性または関連付けられていない参照信号特性を有することを示すとき、複数のサブリソースユニットの部分に関係する測定情報は、複数のサブリソースユニットの部分のインデックスと複数のサブリソースユニットの部分に対応する参照信号の測定値とを備える。
【００３４】
第３の態様の第２のまたは第３の可能な実装に関して、第５の可能な実装では、
リソースユニット量は２以上であり、リソースユニットタイプは、少なくとも１つのリソースユニットのうちの１つの複数のサブリソースユニットにネットワークノードによってマッピングされた参照信号が異なる参照信号特性または関連付けられていない参照信号特性を有することを示すとき、複数のサブリソースユニットの部分に関係する測定情報は、複数のサブリソースユニットの部分のインデックスと複数のサブリソースユニットの部分に対応する参照信号の測定値とを備える。
【００３５】
第３の態様の第２のまたは第３の可能な実装に関して、第６の可能な実装では、
リソースユニット量は１であり、リソースユニットタイプは、１つのリソースユニットの複数のサブリソースユニットにネットワークノードによってマッピングされた参照信号が同じ参照信号特性または関連付けられた参照信号特性を有することを示すとき、複数のサブリソースユニットの部分に関係する測定情報は、複数のサブリソースユニットの部分に対応する参照信号の測定値を備える。
【００３６】
第３の態様の第２のまたは第３の可能な実装に関して、第７の可能な実装では、
リソースユニット量は２以上であり、リソースユニットタイプは、少なくとも１つのリソースユニットのうちの１つの複数のサブリソースユニットにネットワークノードによってマッピングされた参照信号が同じ参照信号特性または関連付けられた参照信号特性を有することを示すとき、複数のサブリソースユニットの部分に関係する測定情報は、複数のリソースユニットの部分のインデックスと複数のリソースユニットの部分に対応する参照信号の測定値とを備える。
【００３７】
第３の態様の第２のまたは第３の可能な実装に関して、第８の可能な実装では、
リソースユニット量は２以上であり、リソースユニットタイプは、少なくとも１つのリソースユニットのうちの第１のリソースユニットの複数のサブリソースユニットにネットワークノードによってマッピングされた参照信号が同じ参照信号特性または関連付けられた参照信号特性を有することと、少なくとも１つのリソースユニットの第２のリソースユニットの複数のサブリソースユニットにネットワークノードによってマッピングされた参照信号が異なる参照信号特性または関連付けられていない参照信号特性を有することとを示すとき、複数のサブリソースユニットの部分に関係する測定情報は、少なくとも１つのリソースユニットの第２のリソースユニットのサブリソースユニットの部分のインデックスとサブリソースユニットの部分に対応する参照信号の測定値とを備える。
【００３８】
第３の態様の第３から第８の可能な実装のうちのいずれか１つに関して、第９の可能な実装では、
同じ参照信号特性は、同じ送信ビーム、同じプリコーディング、同じビーム識別子、同じプリコーディング識別子、同じ発射角、および同じアンテナポートの特性のうちの少なくとも１つを含み、
関連付けられた参照信号特性は、擬似コロケーションＱＣＬ関係を含む。
【００３９】
上記の可能な実装のうちのいずれか１つに関して、第１０の可能な実装では、測定情報は、リソースユニットインデックス、サブリソースユニットインデックス、および測定値の情報のうちの少なくとも１つを含む。
【００４０】
第３の態様の第１０の可能な実装に関して、第１１の可能な実装では、測定値は、参照信号受信電力ＲＳＲＰ、ＲＳＲＰ量子化値、チャネル品質インジケータＣＱＩ、信号対干渉雑音比ＳＩＮＲ、ＳＩＮＲ量子化値とプリコーディング行列指示ＰＭＩ、およびランク指示ＲＩの情報のうちの少なくとも１つを含む。
【００４１】
第４の態様によれば、端末であって、
ネットワークノードから参照信号の構成情報を受信し、構成情報に基づいて、少なくとも１つのリソースユニットにマッピングされた参照信号を受信するように構成されたトランシーバであって、少なくとも１つのリソースユニットは、複数のサブリソースユニットを備える、トランシーバと、
受信された参照信号を測定するように構成されたプロセッサと
を含み、
トランシーバは、複数のサブリソースユニットの部分に関係する測定情報を送るようにさらに構成された、
端末を提供する。
【００４２】
第４の態様に関して、第１の可能な実装では、参照信号の構成情報は、リソースユニットタイプ、リソースユニットサイズ、リソースユニット量、およびリソースユニットシーケンスの情報のうちの少なくとも１つを備える。
【００４３】
第４の態様の第１の可能な実装に関して、第２の可能な実装では、リソースユニットタイプは、少なくとも１つのリソースユニットの複数のサブリソースユニットにネットワークノードによってマッピングされた参照信号が同じ参照信号特性または関連付けられた参照信号特性を有するかどうかを示す。
【００４４】
第４の態様の第１のまたは第２の可能な実装に関して、第３の可能な実装では、リソースユニット量は１であり、リソースユニットタイプは、１つのリソースユニットの複数のサブリソースユニットにネットワークノードによってマッピングされた参照信号が異なる参照信号特性または関連付けられていない参照信号特性を有することを示すとき、複数のサブリソースユニットの部分に関係する測定情報は、複数のサブリソースユニットの部分のインデックスと複数のサブリソースユニットの部分に対応する参照信号の測定値とを備える。
【００４５】
第４の態様の第１のまたは第２の可能な実装に関して、第４の可能な実装では、リソースユニット量は２以上であり、リソースユニットタイプは、少なくとも１つのリソースユニットのうちの１つの複数のサブリソースユニットにネットワークノードによってマッピングされた参照信号が異なる参照信号特性または関連付けられていない参照信号特性を有することを示すとき、複数のサブリソースユニットの部分に関係する測定情報は、複数のサブリソースユニットの部分のインデックスと複数のサブリソースユニットの部分に対応する参照信号の測定値とを備える。
【００４６】
第４の態様の第１のまたは第２の可能な実装に関して、第５の可能な実装では、リソースユニット量は１であり、リソースユニットタイプは、１つのリソースユニットの複数のサブリソースユニットにネットワークノードによってマッピングされた参照信号が同じ参照信号特性または関連付けられた参照信号特性を有することを示すとき、複数のサブリソースユニットの部分に関係する測定情報は、複数のサブリソースユニットの部分に対応する参照信号の測定値を備える。
【００４７】
第４の態様の第１のまたは第２の可能な実装に関して、第６の可能な実装では、リソースユニット量は２以上であり、リソースユニットタイプは、少なくとも１つのリソースユニットのうちの１つの複数のサブリソースユニットにネットワークノードによってマッピングされた参照信号が同じ参照信号特性または関連付けられた参照信号特性を有することを示すとき、複数のサブリソースユニットの部分に関係する測定情報は、複数のリソースユニットの部分のインデックスと複数のリソースユニットの部分に対応する参照信号の測定値とを備える。
【００４８】
第４の態様の第１のまたは第２の可能な実装に関して、第７の可能な実装では、リソースユニット量は２以上であり、リソースユニットタイプは、少なくとも１つのリソースユニットのうちの第１のリソースユニットの複数のサブリソースユニットにネットワークノードによってマッピングされた参照信号が同じ参照信号特性または関連付けられた参照信号特性を有することと、少なくとも１つのリソースユニットの第２のリソースユニットの複数のサブリソースユニットにネットワークノードによってマッピングされた参照信号が異なる参照信号特性または関連付けられていない参照信号特性を有することとを示すとき、複数のサブリソースユニットの部分に関係する測定情報は、少なくとも１つのリソースユニットの第２のリソースユニットのサブリソースユニットの部分のインデックスとサブリソースユニットの部分に対応する参照信号の測定値とを備える。
【００４９】
第４の態様の第２から第７の可能な実装のうちのいずれか１つに関して、第８の可能な実装では、同じ参照信号特性は、同じ送信ビーム、同じプリコーディング、同じビーム識別子、同じプリコーディング識別子、同じ発射角、および同じアンテナポートの特性のうちの少なくとも１つを含み、
関連付けられた参照信号特性は、擬似コロケーションＱＣＬ関係を含む。
【００５０】
上記の可能な実装のうちのいずれか１つに関して、第９の可能な実装では、測定情報は、リソースユニットインデックス、サブリソースユニットインデックス、および測定値の情報のうちの少なくとも１つを含む。
【００５１】
第４の態様の第９の可能な実装に関して、第１０の可能な実装では、測定値は、参照信号受信電力ＲＳＲＰ、ＲＳＲＰ量子化値、チャネル品質インジケータＣＱＩ、信号対干渉雑音比ＳＩＮＲ、ＳＩＮＲ量子化値、プリコーディング行列指示ＰＭＩ、およびランク指示ＲＩの情報のうちの少なくとも１つを含む。
【００５２】
可能な設計では、本出願で提供されるネットワークノードは、上記の方法でネットワークノードの挙動を実行する対応するモジュールを含み得、モジュールは、ソフトウェアおよび／またはハードウェアであり得る。
【００５３】
可能な設計では、本出願で提供される端末は、上記の方法で端末の挙動を実行する対応するモジュールを含み得、モジュールは、ソフトウェアおよび／またはハードウェアであり得る。
【００５４】
第５の態様によれば、通信システムが提供され、システムは、第３の態様および第４の態様において説明したネットワークノードと端末とを含むか、またはネットワークノードと、端末と、コアネットワークとを含む。
【００５５】
第６の態様によれば、コンピュータ記憶媒体が提供され、コンピュータ記憶媒体は、上記の第１から第４の態様の実装に関係するプログラムを含む。
【００５６】
第７の態様によれば、リソース要求方法であって、
ネットワークノードによって、端末から参照信号送信要求を受信することであって、参照信号送信要求は、リソースユニットタイプ、リソースユニットサイズ、リソースユニット量、参照信号マッピング方式、およびリソースユニットシーケンスの情報のうちの少なくとも１つを含む、こと
を含む、リソース要求方法が提供される。
【００５７】
第８の態様によれば、リソース要求方法であって、
端末によって、ネットワークノードに参照信号送信要求を送ることであって、参照信号送信要求は、リソースユニットタイプ、リソースユニットサイズ、リソースユニット量、参照信号マッピング方式、およびリソースユニットシーケンスの情報のうちの少なくとも１つを含む、こと
を含む、リソース要求方法が提供される。
【００５８】
第９の態様によれば、ネットワークノードであって、
端末から参照信号送信要求を受信するように構成されたトランシーバと、
参照信号送信要求から、リソースユニットタイプ、リソースユニットサイズ、リソースユニット量、参照信号マッピング方式、およびリソースユニットシーケンスの情報のうちの少なくとも１つを取得するように構成されたプロセッサと
を含む、ネットワークノードが提供される。
【００５９】
第１０の態様によれば、端末であって、
参照信号送信要求を生成するように構成されたプロセッサであって、参照信号送信要求は、リソースユニットタイプ、リソースユニットサイズ、リソースユニット量、参照信号マッピング方式、およびリソースユニットシーケンスの情報のうちの少なくとも１つを含む、プロセッサと、
ネットワークノードに参照信号送信要求を送るように構成されたトランシーバと
を含む、端末が提供される。
【００６０】
可能な設計では、本出願で提供されるネットワークノードは、上記の方法でネットワークノードの挙動を実行する対応するモジュールを含み得、モジュールは、ソフトウェアおよび／またはハードウェアであり得る。
【００６１】
可能な設計では、本出願で提供される端末は、上記の方法で端末の挙動を実行する対応するモジュールを含み得、モジュールは、ソフトウェアおよび／またはハードウェアであり得る。
【００６２】
第１１の態様によれば、通信システムが提供され、システムは、第９の態様および第１０の態様において説明されたネットワークノードと端末とを含むか、またはネットワークノードと、端末と、コアネットワークとを含む。
【００６３】
第１２の態様によれば、コンピュータ記憶媒体が提供され、コンピュータ記憶媒体は、上記の第７から第１０の態様の実装に関係するプログラムを含む。
【００６４】
本出願の別の態様によれば、命令を含むコンピュータプログラム製品が提供され、命令がコンピュータ上で動作するとき、コンピュータは、上記の態様で方法を実行することが可能になる。
【図面の簡単な説明】
【００６５】
本発明の実施形態または従来技術における技術的な解決法をより明確に説明するために、以下は、実施形態または従来技術を説明するために必要とされる添付の図面を簡単に説明する。
【００６６】
【図１】本発明の一実施形態を実装するための可能なシステムの概略構造図である。
【図２】本発明の実施形態による、参照信号送信方法のフローチャートである。
【図３】本発明の一実施形態による、ビーム構成の概略図である。
【図４】本発明の一実施形態による、別のタイプのビーム構成の概略図である。
【図５】本発明の一実施形態による、別のタイプのビーム構成の概略図である。
【図６】本発明の一実施形態による、別のタイプのビーム構成の概略図である。
【図７】本発明の一実施形態による、別のタイプのビーム構成の概略図である。
【図８】本発明の一実施形態による、リソース要求方法のフローチャートである。
【図９】本発明の一実施形態による、ビーム指示方法のフローチャートである。
【図１０】本発明の一実施形態による、基地局の概略構造図である。
【図１１】本発明の一実施形態による、端末の概略構造図である。
【発明を実施するための形態】
【００６７】
添付の図面を参照しながら、以下に、本発明において提供される実施形態について詳細に説明する。本発明の実施形態において説明するネットワークアーキテクチャおよびサービスシナリオは、本発明の実施形態における技術的解決策についてより明確に説明することを目的とするが、本発明の実施形態において提供される技術的解決策を限定することは意図されない。当業者は、ネットワークアーキテクチャが発展し、新しいサービスシナリオが出現するとともに、本発明の実施形態において提供される技術的解決策もまた、同様の技術的問題に適用可能になることを知り得る。
【００６８】
図１は、本発明における可能なシステムネットワークの概略図である。図１に示すように、少なくとも１つの端末１０は、無線アクセスネットワーク（Ｒａｄｉｏ  Ａｃｃｅｓｓ  Ｎｅｔｗｏｒｋ、略してＲＡＮ）と通信する。ＲＡＮは、少なくとも１つの基地局（Ｂａｓｅ  Ｓｔａｔｉｏｎ、略してＢＳ）２０を含む。明確化のために、ただ１つの基地局と１つのＵＥとを図に示す。ＲＡＮは、コアネットワーク（Ｃｏｒｅ  Ｎｅｔｗｏｒｋ、略してＣＮ）に接続される。任意選択で、ＣＮは、インターネットおよび公衆交換電話網（Ｐｕｂｌｉｃ  Ｓｗｉｔｃｈｅｄ  Ｔｅｌｅｐｈｏｎｅ  Ｎｅｔｗｏｒｋ、略してＰＳＴＮ）などの１つまたは複数の外部ネットワーク（Ｅｘｔｅｒｎａｌ  Ｎｅｔｗｏｒｋ）に結合され得る。
【００６９】
理解を容易にするために、以下に、本出願中に含まれる用語について部分的に説明する。
【００７０】
本出願における、「ネットワーク」および「システム」という用語は、通常は、交換可能に使用されるが、用語の意味は当業者によって理解され得る。ユーザ機器（英語：Ｕｓｅｒ  Ｅｑｕｉｐｍｅｎｔ、略してＵＥ）は、通信機能を有する端末デバイスであり、端末と呼ばれることもあり、ワイヤレス通信機能を有するハンドヘルドデバイス、車載デバイス、ウェアラブルデバイス、またはコンピューティングデバイス、ワイヤレスモデムに接続された別の処理デバイスなどを含み得る。ユーザ機器は、異なるネットワークでは異なる名前、たとえば、端末、移動局、加入者ユニット、局、セルラー電話、携帯情報端末、ワイヤレスモデム、ワイヤレス通信デバイス、ハンドヘルドデバイス、ラップトップコンピュータ、コードレス電話、およびワイヤレスローカルループ局を有し得る。説明を容易にするために、本出願では、これらのデバイスは、ユーザ機器ＵＥまたは端末と呼ばれる。基地局（Ｂａｓｅ  Ｓｔａｔｉｏｎ、略してＢＳ）は、基地局デバイスと呼ばれることもあり、ワイヤレス通信機能を提供するために無線アクセスネットワーク中に展開されるデバイスである。基地局は、異なる無線アクセスシステムでは異なる名前を有し得る。たとえば、基地局は、ユニバーサルモバイル通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略してＵＭＴＳ）ネットワークではノードＢ（ＮｏｄｅＢ）と呼ばれ、基地局は、ＬＴＥネットワークでは発展型ノードＢ（ｅｖｏｌｖｅｄ  ＮｏｄｅＢ、略してｅＮＢまたはｅノードＢ）と呼ばれ、基地局は、将来の５Ｇシステムでは送受信ポイント（Ｔｒａｎｓｍｉｓｓｉｏｎ  Ｒｅｃｅｐｔｉｏｎ  Ｐｏｉｎｔ、ＴＲＰ）、ネットワークノード、またはｇノードＢ（ｇ−ＮｏｄｅＢ、ｇＮＢ）と呼ばれることがある。
【００７１】
本発明の一実施形態は、参照信号送信方法を提供する。本方法は、図１に示すシステムに適用され得る。図２に示されているように、本方法は以下のステップを含む。
【００７２】
ステップ２０１．ネットワークノードは、少なくとも１つのリソースユニットに参照信号をマッピングすることによって参照信号を送り、少なくとも１つのリソースユニットが、複数のサブリソースユニットを含む。
【００７３】
ステップ２０２．ネットワークノードは、端末から、複数のサブリソースユニットの部分に関係する測定情報を受信する。
【００７４】
任意選択で、上記の方法は以下のステップをさらに含み得る。
【００７５】
ステップ２０３．ネットワークノードは、端末に参照信号の構成情報を送る。
【００７６】
任意選択で、ステップ２０３は、ステップ２０１の前に実行され得る。
【００７７】
上記の解決策では、端末は、参照信号の構成情報に基づいて、報告する測定情報の部分を選択し、したがって、測定情報によって占有されるチャネルリソースの量が低減される。
【００７８】
本発明のこの実施形態では、任意選択で、参照信号は、チャネル状態情報参照信号（Ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）である。
【００７９】
本発明のこの実施形態では、リソースユニットとサブリソースユニットとはそれぞれ、チャネルリソースのセグメントを意味する。リソースユニットとサブリソースユニットとは、時間によって区別され得、それぞれ、時間単位（ｔｉｍｅ  ｕｎｉｔ、ＴＵ）およびサブ時間単位（ｓｕｂ−ｔｉｍｅ  ｕｎｉｔ、サブＴＵ）と呼ばれることがある。同じＴＵ中の異なるサブＴＵは、時分割多重ＴＤＭまたはインターリーブ周波数分割多元接続ＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ、ＩＦＤＭＡ）であり得る。代替的に、異なるリソースユニットおよび異なるサブリソースユニットの双方は、周波数によって区別され得る。代替的に、異なるリソースユニットおよび異なるサブリソースユニットの双方は、時間、周波数、および／またはコードによって区別され得る。ネットワークノードは、１つまたは複数のビームを使用することによって各サブリソースユニット上でＣＳＩ−ＲＳを送り得る。
【００８０】
任意選択で、参照信号の構成情報は、リソースユニットタイプ、リソースユニットサイズ、リソースユニット量、およびリソースユニットシーケンスの情報のうちの少なくとも１つを含む。
【００８１】
任意選択で、リソースユニットシーケンスは、異なるリソースユニットタイプの一連の複数のリソースユニットであり得る。
【００８２】
任意選択で、リソースユニットタイプは、少なくとも１つのリソースユニットの複数のサブリソースユニットにネットワークノードによってマッピングされた参照信号が同じ参照信号特性または関連付けられた参照信号特性を有するかどうかを示す。
【００８３】
任意選択で、同じ参照信号特性は、同じ送信ビームと、同じプリコーディングと、同じビーム識別子と、同じプリコーディング識別子と、同じ発射角と、同じアンテナポートとの特性のうちの少なくとも１つを含み、関連付けられた参照信号特性は、擬似コロケーション（Ｑｕａｓｉ  Ｃｏ−Ｌｏｃａｔｉｏｎ、ＱＣＬ）関係を含む。
【００８４】
本発明のこの実施形態では、任意選択で、ＱＣＬ関係は、参照信号アンテナポートが同じパラメータを有することを意味するか、またはＱＣＬ関係は、端末が、アンテナポートのパラメータに基づいて、アンテナポートとのＱＣＬ関係を有するアンテナポートのパラメータを決定し得ることを意味するか、またはＱＣＬ関係は、２つのアンテナポートが同じパラメータを有することを意味するか、またはＱＣＬ関係は、２つのアンテナポート間のパラメータ差がしきい値よりも小さいことを意味する。パラメータは、遅延拡散、ドップラー拡散、ドップラーシフト、平均遅延、平均利得、到来角（Ａｎｇｌｅ  ｏｆ  Ａｒｒｉｖａｌ、ＡＯＡ）、平均ＡＯＡ、ＡＯＡ拡散、発射角（Ａｎｇｌｅ  ｏｆ  Ｄｅｐａｒｔｕｒｅ、ＡＯＤ）、平均発射角ＡＯＤ、ＡＯＤ拡散、受信アンテナ空間相関パラメータ、送信アンテナ空間相関パラメータ、送信ビーム、受信ビーム、およびリソース識別子のうちの少なくとも１つであり得る。ビームは、プリコーディングと、重みシーケンス番号と、ビームシーケンス番号とのうちの少なくとも１つを含む。角度は、異なる寸法での分解値または異なる寸法での分解値の組合せであり得る。アンテナポートは、異なるアンテナポート数を有するアンテナポート、ならびに／または同じアンテナポート数を有し、異なる時間、周波数、および／もしくはコード領域リソース上で情報を送信もしくは受信するために使用されるアンテナポート、ならびに／または異なるアンテナポート数を有し、異なる時間、周波数、および／もしくはコード領域リソース上で情報を送信もしくは受信するために使用されるアンテナポートである。リソース識別子は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）リソース識別子またはＳＲＳリソース識別子を含み、リソース上のビームを示すために使用される。
【００８５】
測定情報は、リソースユニットインデックス、サブリソースユニットインデックス、測定値、および参照信号リソースインデックの情報のうちの少なくとも１つを含み得る。
【００８６】
測定値は、参照信号受信電力ＲＳＲＰ、ＲＳＲＰ量子化値、チャネル品質インジケータＣＱＩ、信号対干渉雑音比ＳＩＮＲ、ＳＩＮＲ量子化値、プリコーディング行列指示ＰＭＩ、およびランク指示ＲＩの情報のうちの少なくとも１つを含み得る。
【００８７】
本発明のこの実施形態では、任意選択で、端末がサブリソースユニットの部分に関係する測定情報を報告することは、複数のケースを含み得る。たとえば、端末は、リソースユニットの部分のインデックスと対応する参照信号の測定値とのみを報告するか、またはサブリソースユニットの部分のインデックスと対応する参照信号の測定値とのみを報告するか、または測定値の部分のみを報告するか、または１つのリソースユニットのサブリソースユニットの部分のインデックスと対応する参照信号の測定値とのみを報告するか、または、測定情報の部分のみを報告する、たとえば、測定値と、リソースユニットインデックスと、サブリソースユニットインデックスとのうちの１つまたは２つのみを報告する。例を使用することによって詳細な説明が以下に提供される。
【００８８】
以下は、本発明のこの実施形態における構成情報に基づいて端末が報告される測定情報をどのように決定するのかについて説明するために例を使用する。説明を容易にするために、リソースユニットとサブリソースユニットとがそれぞれＴＵおよびサブＴＵであり、１つのＴＵが４つのサブＴＵを含み、同じ参照信号特性が同じ送信ビームである例が説明のために以下で使用される。
【００８９】
シナリオ１：図３に示すように、ＴＵ量が１であり、リソースユニットタイプは、１つのＴＵの複数のサブＴＵの参照信号が異なる送信ビームを有することを示すとき、報告された測定情報は、サブＴＵのインデックスとサブＴＵに対応する参照信号の測定値とを含む。
【００９０】
シナリオ２：図４に示すように、ＴＵ量が２以上であり、リソースユニットタイプは、１つのＴＵの複数のサブＴＵの参照信号が異なる送信ビームを有することを示すとき、報告された測定情報は、サブＴＵのインデックスとサブＴＵに対応する参照信号の測定値とを含む。
【００９１】
シナリオ３：図５に示すように、ＴＵ量が１であり、リソースユニットタイプは、１つのＴＵの複数のサブＴＵの参照信号が同じ送信ビームを有することを示すとき、報告された測定情報は、サブＴＵの部分に対応する参照信号の測定値を含む。
【００９２】
シナリオ４：図６に示すように、ＴＵ量が２以上であり、リソースユニットタイプは、１つのＴＵの複数のサブＴＵの参照信号が同じ送信ビームを有することを示すとき、報告された測定情報は、ＴＵの部分のインデックスとＴＵの部分に対応する参照信号の測定値とを含む。
【００９３】
シナリオ５：図７に示すように、ＴＵ量が２以上であり、リソースユニットタイプは、ＴＵの複数のサブＴＵの参照信号が同じ送信ビームを有することと、別のＴＵの複数のサブＴＵの参照信号が異なる送信ビームを有することとを示すとき、異なるリソースユニットタイプのリソースユニットのシーケンスは、複数のサブＴＵの参照信号が同じ送信ビームを有するＴＵが複数のサブＴＵの参照信号が異なる送信ビームを有するＴＵの前にあるものである場合、報告された測定情報は、複数のサブＴＵの参照信号が異なる送信ビームを有するＴＵのサブＴＵのインデックスとサブＴＵに対応する参照信号の測定値とを含む。異なるリソースユニットタイプのリソースユニットのシーケンスは、複数のサブＴＵの参照信号が同じ送信ビームを有するＴＵが複数のサブＴＵの参照信号が異なる送信ビームを有するＴＵの後にあるものである場合、複数のサブＴＵの参照信号が異なる送信ビームを有するＴＵについて報告がシナリオ１の方法に従って実行され、複数のサブＴＵの参照信号が同じ送信ビームを有するＴＵについて報告がシナリオ３の方法に従って実行される。異なるリソースユニットタイプのリソースユニットのシーケンスは、あらかじめ定義され得るか、または参照信号の構成情報中に基地局によって構成され得る。
【００９４】
図３から図７では、ＴｘＢおよびＲｘＢはそれぞれ、基地局の送信ビームおよび端末の受信ビームを表す。
【００９５】
任意選択で、シナリオ１からシナリオ５では、送信ビームは、さらに、送信ビーム識別子、送信重みと、プリコーディング、プリコーディング識別子、発射角、送信アンテナポート、および送信端空間特性のうちの少なくとも１つであり得る。
【００９６】
任意選択で、少なくとも１つのリソースユニットの複数のサブリソースユニットに基地局によってマッピングされた参照信号が関連付けられた参照信号特性を有するかどうかをリソースユニットタイプが示す例が説明のために以下で使用される。
【００９７】
任意選択で、この例では、関連付けられた参照信号特性は、参照信号ＱＣＬ関係である。参照信号ＱＣＬ関係によって示される参照信号パラメータが、送信ビーム、発射角、平均発射角、送信アンテナ空間相関パラメータ、リソース識別子などの送信端関連パラメータのうちの少なくとも１つを含む場合、以下のシナリオが含まれる。
【００９８】
シナリオ６：図３に示すように、ＴＵ量が１であり、リソースユニットタイプは、１つのＴＵの複数のサブＴＵの参照信号のすべてのアンテナポートまたは同じアンテナポートの間にＱＣＬ関係がないことを示すとき、報告された測定情報は、サブＴＵのインデックスとサブＴＵに対応する参照信号の測定値とを含む。
【００９９】
シナリオ７：図４に示すように、ＴＵ量が２以上であり、リソースユニットタイプは、１つのＴＵの複数のサブＴＵの参照信号のすべてのアンテナポートまたは同じアンテナポートの間にＱＣＬ関係がないことを示すとき、報告された測定情報は、サブＴＵのインデックスとサブＴＵに対応する参照信号の測定値とを含む。
【０１００】
シナリオ８：図５に示すように、ＴＵ量が１であり、リソースユニットタイプは、１つのＴＵの複数のサブＴＵの参照信号のすべてのアンテナポートまたは同じアンテナポートの間にＱＣＬ関係があることを示すとき、報告された測定情報は、サブＴＵの部分に対応する参照信号の測定値を含む。
【０１０１】
シナリオ９：図６に示すように、ＴＵ量が２以上であり、リソースユニットタイプは、１つのＴＵの複数のサブＴＵの参照信号のすべてのアンテナポートまたは同じアンテナポートの間にＱＣＬ関係があることを示すとき、報告された測定情報は、ＴＵの部分のインデックスとＴＵの部分に対応する参照信号の測定値とを含む。
【０１０２】
シナリオ１０：図７に示すように、ＴＵ量が２以上であり、リソースユニットタイプは、ＴＵの複数のサブＴＵの参照信号のすべてのアンテナポートまたは同じアンテナポートの間にＱＣＬ関係があることと、別のＴＵの複数のサブＴＵの参照信号のすべてのアンテナポートまたは同じアンテナポートの間にＱＣＬ関係がないこととを示すとき、異なるリソースユニットタイプのリソースユニットのシーケンスは、複数のサブＴＵの参照信号がすべてのアンテナポートまたは同じアンテナポートの間にＱＣＬ関係を有するＴＵが複数のサブＴＵの参照信号がすべてのアンテナポートまたは同じアンテナポートの間にＱＣＬ関係を有しないＴＵの前にあるものである場合、報告された測定情報は、複数のサブＴＵの参照信号がすべてのアンテナポートまたは同じアンテナポートの間にＱＣＬ関係を有しないＴＵのサブＴＵのインデックスとサブＴＵに対応する参照信号の測定値とを含む。異なるリソースユニットタイプのリソースユニットのシーケンスは、複数のサブＴＵの参照信号がすべてのアンテナポートまたは同じアンテナポートの間にＱＣＬ関係を有するＴＵが複数のサブＴＵの参照信号がすべてのアンテナポートまたは同じアンテナポートの間にＱＣＬ関係を有しないＴＵの後にあるものである場合、複数のサブＴＵの参照信号がすべてのアンテナポートまたは同じアンテナポートの間にＱＣＬ関係を有しないＴＵについて報告がシナリオ６の方法に従って実行され、複数のサブＴＵの参照信号がすべてのアンテナポートまたは同じアンテナポートの間にＱＣＬ関係を有するＴＵについて報告がシナリオ８の方法に従って実行される。異なるリソースユニットタイプのリソースユニットのシーケンスは、あらかじめ定義され得るか、または参照信号の構成情報中に基地局によって構成され得る。
【０１０３】
任意選択で、この例では、関連付けられた参照信号特性は、参照信号ＱＣＬ関係である。参照信号ＱＣＬ関係によって示される参照信号パラメータが、受信ビーム、到来角、平均到来角、受信アンテナの空間相関パラメータ、リソース識別子などの受信端関連パラメータのうちの少なくとも１つを含む場合、以下のシナリオが含まれる。
【０１０４】
シナリオ１１：図３に示すように、ＴＵ量が１であり、リソースユニットタイプは、１つのＴＵの複数のサブＴＵの参照信号のすべてのアンテナポートまたは同じアンテナポートの間にＱＣＬ関係があることを示すとき、報告された測定情報は、サブＴＵのインデックスとサブＴＵに対応する参照信号の測定値とを含む。
【０１０５】
シナリオ１２：図４に示すように、ＴＵ量が２以上であり、リソースユニットタイプは、１つのＴＵの複数のサブＴＵの参照信号のすべてのアンテナポートまたは同じアンテナポートの間にＱＣＬ関係があることを示すとき、報告された測定情報は、サブＴＵのインデックスとサブＴＵに対応する参照信号の測定値とを含む。
【０１０６】
シナリオ１３：図５に示すように、ＴＵ量が１であり、リソースユニットタイプは、１つのＴＵの複数のサブＴＵの参照信号のすべてのアンテナポートまたは同じアンテナポートの間にＱＣＬ関係がないことを示すとき、報告された測定情報は、サブＴＵの部分に対応する参照信号の測定値を含む。
【０１０７】
シナリオ１４：図６に示すように、ＴＵ量が２以上であり、リソースユニットタイプは、１つのＴＵの複数のサブＴＵの参照信号のすべてのアンテナポートまたは同じアンテナポートの間にＱＣＬ関係がないことを示すとき、報告された測定情報は、ＴＵの部分のインデックスとＴＵの部分に対応する参照信号の測定値とを含む。
【０１０８】
シナリオ１５：図７に示すように、ＴＵ量が２以上であり、リソースユニットタイプは、ＴＵの複数のサブＴＵの参照信号のすべてのアンテナポートまたは同じアンテナポートの間にＱＣＬ関係がないことと、別のＴＵの複数のサブＴＵの参照信号のすべてのアンテナポートまたは同じアンテナポートの間にＱＣＬ関係があることとを示すとき、異なるリソースユニットタイプのリソースユニットのシーケンスは、複数のサブＴＵの参照信号がすべてのアンテナポートまたは同じアンテナポートの間にＱＣＬ関係を有しないＴＵが複数のサブＴＵの参照信号がすべてのアンテナポートまたは同じアンテナポートの間にＱＣＬ関係を有するＴＵの前にあるものである場合、報告された測定情報は、複数のサブＴＵの参照信号がすべてのアンテナポートまたは同じアンテナポートの間にＱＣＬ関係を有するＴＵのサブＴＵのインデックスとサブＴＵに対応する参照信号の測定値とを含む。異なるリソースユニットタイプのリソースユニットのシーケンスは、複数のサブＴＵの参照信号がすべてのアンテナポートまたは同じアンテナポートの間にＱＣＬ関係を有しないＴＵが複数のサブＴＵの参照信号がすべてのアンテナポートまたは同じアンテナポートの間にＱＣＬ関係を有するＴＵの後にあるものである場合、複数のサブＴＵの参照信号がすべてのアンテナポートまたは同じアンテナポートの間にＱＣＬ関係を有するＴＵについて報告がシナリオ１１の方法に従って実行され、複数のサブＴＵの参照信号がすべてのアンテナポートまたは同じアンテナポートの間にＱＣＬ関係を有しないＴＵについて報告がシナリオ１３の方法に従って実行される。異なるリソースユニットタイプのリソースユニットのシーケンスは、あらかじめ定義され得るか、または参照信号の構成情報中に基地局によって構成され得る。
【０１０９】
同じ参照信号特性が同じ受信ビームである例が説明のために以下で使用される。
【０１１０】
シナリオ１６：図３に示すように、ＴＵ量が１であり、リソースユニットタイプは、１つのＴＵの複数のサブＴＵの参照信号が同じ受信ビームを有することを示すとき、報告された測定情報は、サブＴＵのインデックスとサブＴＵに対応する参照信号の測定値とを含む。
【０１１１】
シナリオ１７：図４に示すように、ＴＵ量が２以上であり、リソースユニットタイプは、１つのＴＵの複数のサブＴＵの参照信号が同じ受信ビームを有することを示すとき、報告された測定情報は、サブＴＵのインデックスとサブＴＵに対応する参照信号の測定値とを含む。
【０１１２】
シナリオ１８：図５に示すように、ＴＵ量が１であり、リソースユニットタイプは、１つのＴＵの複数のサブＴＵの参照信号が異なる受信ビームを有することを示すとき、報告された測定情報は、サブＴＵの部分に対応する参照信号の測定値を含む。
【０１１３】
シナリオ１９：図６に示すように、ＴＵ量が２以上であり、リソースユニットタイプは、１つのＴＵの複数のサブＴＵの参照信号が異なる受信ビームを有することを示すとき、報告された測定情報は、ＴＵの部分のインデックスとＴＵの部分に対応する参照信号の測定値とを含む。
【０１１４】
シナリオ２０：図７に示すように、ＴＵ量が２以上であり、リソースユニットタイプは、ＴＵの複数のサブＴＵの参照信号が異なる受信ビームを有することと、別のＴＵの複数のサブＴＵの参照信号が同じ受信ビームを有することとを示すとき、異なるリソースユニットタイプのリソースユニットのシーケンスは、複数のサブＴＵの参照信号が異なる受信ビームを有するＴＵが複数のサブＴＵの参照信号が同じ受信ビームを有するＴＵの前にあるものである場合、報告された測定情報は、複数のサブＴＵの参照信号が同じ受信ビームを有するＴＵのサブＴＵのインデックスとサブＴＵに対応する参照信号の測定値とを含む。異なるリソースユニットタイプのリソースユニットのシーケンスは、複数のサブＴＵの参照信号が異なる受信ビームを有するＴＵが複数のサブＴＵの参照信号が同じ受信ビームを有するＴＵの後にあるものである場合、複数のサブＴＵの参照信号が同じ受信ビームを有するＴＵについて報告がシナリオ１の方法に従って実行され、複数のサブＴＵの参照信号が異なる受信ビームを有するＴＵについて報告がシナリオ３の方法に従って実行される。異なるリソースユニットタイプのリソースユニットのシーケンスは、あらかじめ定義され得るか、または参照信号の構成情報中に基地局によって構成され得る。
【０１１５】
任意選択で、シナリオ１６からシナリオ２０では、受信ビームは、さらに、受信ビーム識別子、受信重み、到来角、受信アンテナポート、および受信端空間特性のうちの少なくとも１つであり得る。
【０１１６】
任意選択で、シナリオ１からシナリオ２０中のサブＴＵは、さらに、参照信号リソースまたは別のサブリソースユニットであり得、シナリオ１からシナリオ５中のサブＴＵインデックスは、さらに、参照信号リソースインデックスまたは別のサブリソースユニットインデックスであり得る。
【０１１７】
任意選択で、シナリオ１からシナリオ２０中の端末によって報告された測定情報は、測定値以外の測定情報を含み、すなわち、測定値を含まない。
【０１１８】
任意選択で、シナリオ１からシナリオ２０中の端末によって報告された測定情報中の測定値は、ｍ個の最適な測定値とｎ個の最悪の測定値とを含み、ｍおよびｎは、０以上の値であり、ｍ＋ｎは、１以上であり、ｍは、基地局によって構成されるかまたはあらかじめ定義されており、ｎは、基地局によって構成されるかまたはあらかじめ定義されている。
【０１１９】
任意選択で、端末が測定情報を報告する前に、基地局は、端末に参照信号測定報告指示を送る。参照信号測定報告指示は、報告された測定情報が測定情報が報告された後に存在するアップリンク送信またはダウンリンク送信に関係があるかどうかを示すために使用されるか、または報告された測定情報がリソースユニットタイプに関係があるかどうかを示すために使用されるか、または報告された測定情報がリソースユニットインデックスとサブリソースユニットインデックスとを含むかどうかを示すために使用される。参照信号測定報告指示は、報告された測定情報が測定情報が報告された後に存在するアップリンク送信またはダウンリンク送信に関係しないことを示すために使用されるか、または報告された測定情報がリソースユニットタイプに関係しないことを示すために使用されるか、または報告された測定情報がリソースユニットインデックスとサブリソースユニットインデックスとを含むことを示すために使用される場合、端末によって報告された測定情報は、リソースユニットインデックスと、サブリソースユニットインデックスと、測定値と、またはサブリソースユニットインデックスと測定値と、またはサブリソースユニットインデックス、またはリソースユニットインデックスとサブリソースユニットインデックスとを含む。場合によっては、端末によって報告された測定情報は、シナリオ１からシナリオ２０中の方式に従ってリソースユニットタイプに基づいて決定される。
【０１２０】
任意選択で、端末によって報告された測定情報は、リソースユニットインデックスと、サブリソースユニットインデックスと、測定値と、またはサブリソースユニットインデックスと測定値と、またはサブリソースユニットインデックス、またはリソースユニットインデックスとサブリソースユニットインデックスとを含む。
【０１２１】
任意選択で、上記のシナリオでは、報告されたインデックスの量と報告された測定値の量とは異なり得る。たとえば、１つのインデックスは複数の測定値に対応していることがある。端末は、インデックスのみを報告し得る。
【０１２２】
本発明のこの実施形態では、任意選択で、基地局は、端末によって報告された測定情報を構成し得、端末は、構成に基づいて参照信号のリソースユニットタイプを決定する。
【０１２３】
任意選択で、１つのリソースユニットが、１つのサブリソースユニットしか含まない（すなわち、リソースユニットがサブリソースユニットに分割されない）とき、サブリソースユニットがリソースユニットであることが理解され得る。
【０１２４】
本発明の別の実施形態は、リソース要求方法を提供する。本方法は、図１に示すシステムに適用され得る。図８に示されているように、本方法は以下のステップを含む。
【０１２５】
ステップ８０１．端末は、ネットワークノードに参照信号送信要求を送る。
【０１２６】
参照信号送信要求は、リソースユニットタイプ、リソースユニットサイズ、リソースユニット量、参照信号マッピング方式、およびリソースユニットシーケンスの情報のうちの少なくとも１つを含む。
【０１２７】
ステップ８０２．ネットワークノードは、参照信号送信要求を受信する。
【０１２８】
任意選択で、参照信号は、ダウンリンク測定のために使用される参照信号、たとえば、ＣＳＩ−ＲＳであり得るか、またはアップリンク測定のために使用される参照信号、たとえば、サウンディング参照シンボル（Ｓｏｕｎｄｉｎｇ  Ｒｅｆｅｒｅｎｃｅ  Ｓｙｍｂｏｌ、ＳＲＳ）であり得る。
【０１２９】
上記の実施形態では、基地局は、端末の要求に基づいて、対応する参照信号を送るために使用されるリソースを決定し得る。
【０１３０】
以下は、本発明のこの実施形態において端末が参照信号送信要求を送るステップについて説明するために例を使用する。
【０１３１】
任意選択で、端末がＣＳＩ−ＲＳ送信要求を送ることは以下のシナリオを含む。
【０１３２】
ＣＳＩ−ＲＳリソース要求シナリオ１：任意選択で、端末は、以下の情報を含むＣＳＩ−ＲＳ送信要求を送る。ＣＳＩ−ＲＳのリソースユニットサイズが４つのサブリソースユニットであり、リソースユニット量が２であり、リソースユニットタイプは、同じ送信ビームがリソースユニットのサブリソースユニット上で使用されるものである。
【０１３３】
ＣＳＩ−ＲＳリソース要求シナリオ２：たとえば、端末は、以下の情報を含むＣＳＩ−ＲＳ送信要求を送る。ＣＳＩ−ＲＳのリソースユニットサイズが４つのサブリソースユニットであり、リソースユニット量が２であり、リソースユニットタイプは、異なる送信ビームがリソースユニットのサブリソースユニット上で使用されるものである。
【０１３４】
任意選択で、ＣＳＩ−ＲＳリソース要求シナリオ１および２では、送信ビームは、さらに、送信ビーム識別子、送信重み、プリコーディング、プリコーディング識別子、発射角、送信アンテナポート、および送信端空間特性のうちの少なくとも１つであり得る。
【０１３５】
ＣＳＩ−ＲＳリソース要求シナリオ３：任意選択で、端末は、以下の情報を含むＣＳＩ−ＲＳ送信要求を送る。ＣＳＩ−ＲＳのリソースユニットサイズが４つのサブリソースユニットであり、リソースユニット量が２であり、リソースユニットタイプは、異なる受信ビームがリソースユニットのサブリソースユニット上で使用されるものである。
【０１３６】
ＣＳＩ−ＲＳリソース要求シナリオ４：たとえば、端末は、以下の情報を含むＣＳＩ−ＲＳ送信要求を送る。ＣＳＩ−ＲＳのリソースユニットサイズが４つのサブリソースユニットであり、リソースユニット量が２であり、リソースユニットタイプは、同じ受信ビームがリソースユニットのサブリソースユニット上で使用されるものである。
【０１３７】
任意選択で、ＣＳＩ−ＲＳリソース要求シナリオ３および４では、受信ビームは、さらに、受信ビーム識別子、受信重み、到来角、受信アンテナポート、および受信端空間特性のうちの少なくとも１つであり得る。
【０１３８】
ＣＳＩ−ＲＳリソース要求シナリオ５：端末は、以下の情報を含むＣＳＩ−ＲＳ送信要求を送る。ＣＳＩ−ＲＳのリソースユニットサイズが４つのサブリソースユニットであり、リソースユニット量が２であり、リソースユニットタイプは、リソースユニットのサブリソースユニット上のすべてのアンテナポートまたは同じアンテナポートの間にＱＣＬ関係があるものである。
【０１３９】
ＣＳＩ−ＲＳリソース要求シナリオ６：たとえば、端末は、以下の情報を含むＣＳＩ−ＲＳ送信要求を送る。ＣＳＩ−ＲＳのリソースユニットサイズが４つのサブリソースユニットであり、リソースユニット量が２であり、リソースユニットタイプは、リソースユニットのサブリソースユニット上のすべてのアンテナポートまたは同じアンテナポートの間にＱＣＬ関係がないものである。
【０１４０】
任意選択で、端末がＳＲＳ送信要求を送ることは以下のシナリオを含む。
【０１４１】
ＳＲＳリソース要求シナリオ１：端末は、以下の情報を含むＳＲＳ送信要求を送る。ＳＲＳのリソースユニットサイズが４つのサブリソースユニットであり、リソースユニット量が２であり、リソースユニットタイプは、同じ送信ビームがリソースユニットのサブリソースユニット上で使用されるものである。
【０１４２】
ＳＲＳリソース要求シナリオ２：たとえば、端末は、以下の情報を含むＳＲＳ送信要求を送る。ＳＲＳのリソースユニットサイズが４つのサブリソースユニットであり、リソースユニット量が２であり、リソースユニットタイプは、異なる送信ビームがリソースユニットのサブリソースユニット上で使用されるものである。
【０１４３】
任意選択で、ＳＲＳリソース要求シナリオ１および２では、送信ビームは、さらに、送信ビーム識別子、送信重み、プリコーディング、プリコーディング識別子、発射角、送信アンテナポート、および送信端空間特性のうちの少なくとも１つであり得る。
【０１４４】
ＳＲＳリソース要求シナリオ３：端末は、以下の情報を含むＳＲＳ送信要求を送る。ＳＲＳのリソースユニットサイズが４つのサブリソースユニットであり、リソースユニット量が２であり、リソースユニットタイプは、異なる受信ビームがリソースユニットのサブリソースユニット上で使用されるものである。
【０１４５】
ＳＲＳリソース要求シナリオ４：たとえば、端末は、以下の情報を含むＳＲＳ送信要求を送る。ＳＲＳのリソースユニットサイズが４つのサブリソースユニットであり、リソースユニット量が２であり、リソースユニットタイプは、同じ受信ビームがリソースユニットのサブリソースユニット上で使用されるものである。
【０１４６】
任意選択で、ＳＲＳリソース要求シナリオ３および４では、受信ビームは、さらに、受信ビーム識別子、受信重み、到来角、受信アンテナポート、および受信端空間特性のうちの少なくとも１つであり得る。
【０１４７】
ＳＲＳリソース要求シナリオ５：端末は、以下の情報を含むＳＲＳ送信要求を送る。ＳＲＳのリソースユニットサイズが４つのサブリソースユニットであり、リソースユニット量が２であり、リソースユニットタイプは、リソースユニットのサブリソースユニット上のすべてのアンテナポートまたは同じアンテナポートの間にＱＣＬ関係があるものである。
【０１４８】
ＳＲＳリソース要求シナリオ６：たとえば、端末は、以下の情報を含むＳＲＳ送信要求を送る。ＳＲＳのリソースユニットサイズが４つのサブリソースユニットであり、リソースユニット量が２であり、リソースユニットタイプは、リソースユニットのサブリソースユニット上のすべてのアンテナポートまたは同じアンテナポートの間にＱＣＬ関係がないものである。
【０１４９】
本発明の別の実施形態は、リソース指示方法を提供する。本方法は、図１に示すシステムに適用され得る。図９に示されているように、本方法は以下のステップを含む。
【０１５０】
ステップ９０１．基地局は、端末に構成情報を送り、構成情報は、端末のリソースを示す。
【０１５１】
ステップ９０２．端末は、構成情報を受信する。
【０１５２】
任意選択で、リソースは、受信または送信ビーム、受信または送信ビームインデックス、受信または送信プリコーディング、受信または送信プリコーディングインデックス、受信または送信アンテナポート、および空間リソースのリソースのうちの少なくとも１つを含む。
【０１５３】
任意選択で、リソースが、受信ビーム、受信ビームインデックス、受信プリコーディング、受信プリコーディングインデックス、受信アンテナポート、および空間リソースのうちの少なくとも１つを含む場合、リソースは、ダウンリンク送信、たとえば、物理ダウンリンク共有チャネル送信、物理ダウンリンク制御チャネル送信、またはＣＳＩ−ＲＳ送信のために使用され得る。
【０１５４】
任意選択で、リソースが、送信ビーム、送信ビームインデックス、送信プリコーディング、送信プリコーディングインデックス、送信アンテナポート、および空間リソースのうちの少なくとも１つを含む場合、リソースは、アップリンク送信、たとえば、物理アップリンク共有チャネル送信、物理アップリンク制御チャネル送信、ＳＲＳ送信、またはスケジューリング要求送信のために使用され得る。
【０１５５】
任意選択で、構成情報は、基地局の送信ビーム、基地局の受信ビーム、端末の送信ビーム、端末の受信ビーム、時間領域リソース、周波数領域リソース、コード領域リソース、および関連付けられたポート特性のうちの少なくとも１つを含む。
【０１５６】
任意選択で、ビームは、プリコーディング、重みシーケンス番号、ビームシーケンス番号、およびビーム範囲のうちの少なくとも１つを含む。関連付けられたポート特性は、ポート間のＱＣＬ関係を含む。
【０１５７】
任意選択で、ビーム範囲は、固定されたビーム範囲または相対的なビーム範囲を含む。
【０１５８】
任意選択で、構成情報が、時間領域リソース、周波数領域リソース、およびコード領域リソースのうちの少なくとも１つを含むとき、構成情報によって示されるリソースと端末のリソースを使用することによって実行される送信とは同じポート特性または関連付けられたポート特性を有する。任意選択で、同じポート特性は、同じ送信ビーム、同じプリコーディング、同じビーム識別子、同じプリコーディング識別子、同じ発射角、および同じアンテナポートの特性のうちの少なくとも１つを含み、関連付けられたポート特性は、擬似コロケーションＱＣＬ関係を含む。
【０１５９】
以下は、本発明のこの実施形態において基地局が端末のリソースを構成するステップについて説明するために例を使用する。
【０１６０】
例１：任意選択で、基地局が端末に構成情報を送り、構成情報は、端末の受信ビーム、たとえば、端末の受信ビームのシーケンス番号を含む場合、端末は、ダウンリンク受信を実行するために構成情報中の端末の受信ビームのシーケンス番号に基づいてダウンリンク受信ビームを決定するか、または端末は、アップリンク送信を実行するために構成情報中の端末の受信ビームのシーケンス番号と、端末の受信ビームと端末の送信ビームとの間の対応とに基づいて送信ビームを決定する。
【０１６１】
例２：任意選択で、基地局が端末に構成情報を送り、構成情報は、端末の送信ビーム、たとえば、端末の送信ビームのシーケンス番号を含む場合、端末は、アップリンク送信を実行するために構成情報中の端末の送信ビームのシーケンス番号に基づいてアップリンク送信ビームを決定するか、または端末は、ダウンリンク受信を実行するために構成情報中の端末の送信ビームのシーケンス番号と、端末の送信ビームと端末の受信ビームとの間の対応とに基づいてダウンリンク受信ビームを決定する。
【０１６２】
例３：任意選択で、基地局が端末に構成情報を送り、構成情報は、基地局の送信ビーム、たとえば、基地局の送信ビームのシーケンス番号を含む場合、端末は、ダウンリンク受信を実行するために構成情報中の基地局の送信ビームのシーケンス番号と基地局の送信ビームと端末の受信ビームとの間のビームのペア関係とに基づいてダウンリンク受信ビームを決定するか、または端末は、アップリンク送信を実行するために構成情報中の基地局送信ビームのシーケンス番号と、基地局の送信ビームと端末の受信ビームとの間のビームのペア関係と、端末の受信ビームと端末の送信ビームとの間の対応とに基づいてアップリンク送信ビームを決定する。
【０１６３】
例４：任意選択で、基地局が端末に構成情報を送り、構成情報は、基地局の受信ビーム、たとえば、基地局の受信ビームのシーケンス番号を含む場合、端末は、アップリンク送信を実行するために構成情報中の基地局の受信ビームのシーケンス番号と基地局の受信ビームと端末の送信ビームとの間のビームのペア関係とに基づいてアップリンク送信ビームを決定するか、または端末は、ダウンリンク受信を実行するために構成情報中の基地局の受信ビームのシーケンス番号と、基地局の受信ビームと端末の送信ビームとの間のビームのペア関係と、端末の送信ビームと端末の受信ビームとの間の対応とに基づいてダウンリンク受信ビームを決定する。
【０１６４】
例５：任意選択で、基地局が端末に構成情報を送り、構成情報は、時間領域リソースと、コード領域リソースと、周波数領域リソースとのうちの少なくとも１つを含む場合、端末は、ダウンリンク受信を実行するために構成情報中の時間／周波数／コードリソースと、時間／周波数／コードリソースに対して実行される送信中で使用される端末の受信ビームとに基づいてダウンリンク受信ビームを決定するか、または端末は、アップリンク送信を実行するために構成情報中の時間／周波数／コードリソースと、時間／周波数／コードリソースに対して実行される送信中で使用される受信ビームと、端末の受信ビームと端末の送信ビームとの間の対応とに基づいて送信ビームを決定する。
【０１６５】
例６：任意選択で、基地局が端末に構成情報を送り、構成情報は、時間領域リソース、コード領域リソース、および周波数領域リソースのうちの少なくとも１つを含む場合、端末は、アップリンク送信を実行するために構成情報中の時間／周波数／コードリソースと、時間／周波数／コードリソースに対して実行される送信中で使用される端末の送信ビームとに基づいてアップリンク送信ビームを決定するか、または端末は、ダウンリンク受信を実行するために構成情報中の時間／周波数／コードリソースと、時間／周波数／コードリソースに対して実行される送信中で使用される送信ビームと、端末の送信ビームと端末の受信ビームとの間の対応とに基づいてダウンリンク受信ビームを決定する。
【０１６６】
例７：任意選択で、基地局が端末に構成情報を送り、構成情報は、時間領域リソース、コード領域リソース、および周波数領域リソースのうちの少なくとも１つを含む場合、端末は、ダウンリンク受信を実行するために構成情報中の時間／周波数／コードリソースと、時間／周波数／コードリソースに対して実行される送信中で使用される基地局の送信ビームと、基地局の送信ビームと端末の受信ビームとの間のビームペア関係とに基づいてダウンリンク受信ビームを決定するか、または端末は、アップリンク送信を実行するために構成情報中の時間／周波数／コードリソースと、時間／周波数／コードリソースに対して実行される送信中で使用される基地局の送信ビームと、基地局の送信ビームと端末の受信ビームとの間のビームのペア関係と、端末の受信ビームと端末の送信ビームとの間の対応とに基づいてアップリンク送信ビームを決定する。
【０１６７】
例８：任意選択で、基地局が端末に構成情報を送り、構成情報は、時間領域リソース、コード領域リソース、および周波数領域リソースのうちの少なくとも１つを含む場合、端末は、アップリンク送信を実行するために構成情報中の時間／周波数／コードリソースと、時間／周波数／コードリソースに対して実行される送信中で使用される基地局の受信ビームと、基地局の受信ビームと端末の送信ビームとの間のビームのペア関係とに基づいてアップリンク送信ビームを決定するか、または端末は、ダウンリンク受信を実行するために構成情報中の時間／周波数／コードリソースと、時間／周波数／コードリソースに対して実行される送信中で使用される基地局の受信ビームと、基地局の受信ビームと端末の送信ビームとの間のビームのペア関係と、端末の送信ビームと端末の受信ビームとの間の対応とに基づいてダウンリンク受信ビームを決定する。
【０１６８】
任意選択で、例５から例８中の構成情報中の時間領域リソース、コード領域リソース、または周波数領域リソースは、アップリンク送信またはダウンリンク送信と時間領域リソース、コード領域リソース、または周波数領域リソース上の部分との間のＱＣＬ関係であり得る。端末は、例５から例８中の方法に従ってアップリンク送信の送信ビームまたはダウンリンク送信の受信ビームを決定するために、ＱＣＬ関係と、構成情報中の時間領域リソース、コード領域リソース、または周波数領域リソースとに基づいて時間領域リソース、コード領域リソース、または周波数領域リソース上のビームを決定する。
【０１６９】
任意選択で、例５から例８中の構成情報中の時間領域リソース、コード領域リソース、または周波数領域リソースがダウンリンクまたはアップリンク測定の参照信号を送信するために使用される時間／周波数／コードリソースである場合、時間領域リソース、コード領域リソース、または周波数領域リソースは、リソースユニットおよび／またはサブリソースユニットであり得る。測定参照信号のリソースユニットタイプは、リソースユニット中のサブリソースユニットが同じ参照信号特性を有するものであるか、または参照信号ＱＣＬ関係によって示された参照信号パラメータが、送信ビーム、発射角、平均発射角、送信アンテナ空間相関パラメータ、リソース識別子などの送信端関連パラメータのうちの少なくとも１つを含み、すべてのポートまたは同じポートの間にＱＣＬ関係があるか、または参照信号ＱＣＬ関係によって示される参照信号パラメータが、受信ビーム、到来角、平均到来角、受信アンテナの空間相関パラメータ、リソース識別子などの受信端関連パラメータのうちの少なくとも１つを含み、すべてのポートまたは同じポートの間にＱＣＬ関係がない場合、構成情報は、サブリソースユニット識別子を含む。測定参照信号のリソースユニットタイプは、リソースユニット中のサブリソースユニットが異なる参照信号特性を有するものであるか、または参照信号ＱＣＬ関係によって示された参照信号パラメータが、送信ビーム、発射角、平均発射角、送信アンテナ空間相関パラメータ、リソース識別子などの送信端関連パラメータのうちの少なくとも１つを含み、すべてのポートまたは同じポートの間にＱＣＬ関係がないか、または参照信号ＱＣＬ関係によって示される参照信号パラメータが、受信ビーム、到来角、平均到来角、受信アンテナの空間相関パラメータ、リソース識別子などの受信端関連パラメータのうちの少なくとも１つを含み、すべてのポートまたは同じポートの間にＱＣＬ関係がある場合、構成情報は、サブリソースユニット識別子を含む。
【０１７０】
任意選択で、参照信号のリソースユニット量が１であるとき、構成情報はリソースユニット識別子を含まない。
【０１７１】
任意選択で、端末がアップリンク送信またはダウンリンク送信を実行する前に、基地局は、端末によって報告された参照信号の測定情報を受信する。この場合、構成情報は、端末によって報告された参照信号の測定情報の識別子および／または参照信号の測定構成の識別子を含む。
【０１７２】
参照信号の測定情報の識別子は、測定値の識別子、リソースユニットインデックスの識別子、サブリソースユニットインデックスの識別子、および参照信号リソースインデックスの識別子のうちの少なくとも１つを含む。
【０１７３】
参照信号の測定構成の識別子は、参照信号の測定情報を１回報告するように端末を構成するために使用される構成情報の識別子または端末が測定情報を１回報告する処理またはイベントの識別子を含む。
【０１７４】
端末は、アップリンク送信またはダウンリンク送信のためのビームを決定するために、参照信号の測定情報の識別子と参照信号の測定構成の識別子とに基づいて、参照信号の測定情報が参照信号の測定構成における測定を通して取得されるリソース上のビームを決定する。
【０１７５】
以下は、本発明において端末のリソースを構成するために、基地局が参照信号の測定情報の識別子と参照信号の測定構成の識別子とを使用するステップについて説明するために例を使用する。
【０１７６】
例９：任意選択で、基地局は、測定情報の識別子が２であり、参照信号の測定構成の識別子が１であることを示す場合、端末は、最初の測定報告中の第２の測定情報が測定を通して取得されるリソース上の端末の受信ビームに基づいてダウンリンク受信ビームを決定するか、または端末は、端末の送信ビームと端末の受信ビームとの間の対応と、最初の測定報告中の第２の測定情報が測定を通して取得されるリソース上の端末の受信ビームとに基づいてアップリンク送信ビームを決定する。
【０１７７】
例１０：任意選択で、基地局は、測定情報の識別子が２であり、参照信号の測定構成の識別子が１であることを示す場合、端末は、最初の測定報告中の第２の測定情報が測定を通して取得されるリソース上の端末の送信ビームに基づいてアップリンク送信ビームを決定するか、または端末は、端末の送信ビームと端末の受信ビームとの間の対応と、最初の測定報告中の第２の測定情報が測定を通して取得されるリソース上の端末の送信ビームとに基づいてダウンリンク受信ビームを決定する。
【０１７８】
例１１：任意選択で、基地局は、測定情報の識別子が２であり、参照信号の測定構成の識別子が１であることを示す場合、端末は、基地局の受信ビームと端末の送信ビームとの間のビームのペア関係と、最初の測定報告中の第２の測定情報が測定を通して取得されるリソース上の基地局の受信ビームとに基づいてアップリンク送信ビームを決定するか、または端末は、最初の測定報告中の第２の測定情報が測定を通して取得されるリソース上の基地局の受信ビームと、基地局の受信ビームと端末の送信ビームとの間のビームのペア関係と、端末の送信ビームと端末の受信ビームとの間の対応とに基づいてダウンリンク受信ビームを決定する。
【０１７９】
例１２：任意選択で、基地局は、測定情報の識別子が２であり、参照信号の測定構成の識別子が１であることを示す場合、端末は、基地局の送信ビームと端末の受信ビームとの間のビームのペア関係と、最初の測定報告中の第２の測定情報が測定を通して取得されるリソース上の基地局の送信ビームとに基づいてダウンリンク受信ビームを決定するか、または端末は、最初の測定報告中の第２の測定情報が測定を通して取得されるリソース上の基地局の送信ビームと、基地局の送信ビームと端末の受信ビームとの間のビームのペア関係と、端末の送信ビームと端末の受信ビームとの間の対応とに基づいてアップリンク送信ビームを決定する。
【０１８０】
任意選択で、例１から例１２中の構成情報は、ビーム範囲をさらに含み得る。ビーム範囲が相対範囲である場合、例１から例１２中の方法に従ってビームを決定した後に、端末はビーム範囲中のビームを選択する。たとえば、例１から例１２に基づいて決定されたビームの水平角が３０度であり、ビーム範囲が−１０度から１０度である場合、端末は、２０度から４０度の範囲中でビームを選択する。別の例では、例１から例１２中で決定されたビームのビームシーケンス番号が５であり、ビーム範囲が−２から２である場合、端末は、ビームシーケンス番号が｛３，４，５，６，７｝であるビームからビームを選択する。ビーム範囲が絶対範囲である場合、端末は、構成されたビーム範囲中でビームを選択する。たとえば、ビーム水平角は、２０度から４０度に及ぶ。別の例では、ビームシーケンス番号の範囲は、｛３，４，５，６，７｝である。
【０１８１】
任意選択で、いくつかの報告された測定情報の量が１であるとき、測定情報識別子を示す必要がない。
【０１８２】
任意選択で、アップリンク送信またはダウンリンク送信の前に、基地局は、端末に、測定情報が構成情報に関連付けられるかどうかを示す指示をさらに送る。基地局は、端末によって送られた測定情報が構成情報に関連付けられないことを構成する場合、構成情報は、端末によって報告された参照信号の測定情報の識別子を含まない。
【０１８３】
本発明のこの実施形態では、構成情報と報告された測定情報との意味について、上記の参照信号の送信方法における説明を参照されたい。詳細についてここで再び説明しない。
【０１８４】
上記の複数の方法実施形態では、様々な解決策における一部のまたはすべてのステップおよび技術的実装の詳細が使用のために組み合わされ得ることに留意されたい。
【０１８５】
本発明の実施形態は、方法実施形態におけるステップおよび方法を実装するための装置実施形態をさらに提供する。方法実施形態における方法、ステップ、技術的詳細、および技術的効果も装置実施形態に適用可能であるが、詳細についてここで再び説明しない。
【０１８６】
図１０は、基地局の概略構造図である。基地局は、図１に示すシステムに適用され得る。基地局２０は、１つまたは複数のリモート無線ユニット（Ｒｅｍｏｔｅ  Ｒａｄｉｏ  Ｕｎｉｔ、ＲＲＵ）２０１と１つまたは複数のベースバンドユニット（Ｂａｓｅｂａｎｄ  Ｕｎｉｔ、ＢＢＵ）２０２とを含む。ＲＲＵ２０１は、トランシーバユニット、トランシーバ、トランシーバ回路、トランシーバなどと呼ばれることがあり、少なくとも１つのアンテナ２０１１と無線周波数装置２０１２とを含み得る。ＲＲＵ２０１は、主に、無線周波信号を受信／送信し、無線周波信号とベースバンド信号との間の変換を実行するように構成され、たとえば、端末に上記の実施形態におけるシグナリング指示および／または参照信号を送るように構成され得る。ＢＢＵ２０２は、主に、ベースバンド処理を実行し、基地局を制御するように構成される。ＲＲＵ２０１とＢＢＵ２０２とは、物理的に一緒に配設され得るか、または、物理的に分離され、すなわち、分散基地局であり得る。
【０１８７】
ＢＢＵ２０２は、基地局の制御センターであり、処理ユニットと呼ばれることもあり、主に、チャネルコーディング、多重化、変調、またはスペクトラム拡散などのベースバンド処理機能を実装するように構成される。一例では、ＢＢＵ２０２は、１つまたは複数のボードを含み得、複数のボードは、単一のアクセス標準の（５Ｇネットワークなどの）無線アクセスネットワークを一緒にサポートし得るか、または、異なるアクセス規格の無線アクセスネットワークを別々にサポートし得る。ＢＢＵ２０２は、メモリ２０２１とプロセッサ２０２２とをさらに含む。メモリ２０２１は、必要な命令とデータとを記憶するように構成される。プロセッサ２０２２は、必要な行為を実行するように基地局を制御するように構成される。メモリ２０２１とプロセッサ２０２２とは、１つまたは複数のボードをサービスし得る。言い換えれば、メモリとプロセッサとは、各ボード上に独立して配設され得る。代替的に、複数のボードは、同じメモリとプロセッサとを使用し得る。さらに、必要な回路は、各ボード上にさらに配設される。
【０１８８】
基地局は、上記の方法実施形態における参照信号の送信方法を実装するように構成され得、詳細は以下の通りである。
【０１８９】
プロセッサは、少なくとも１つのリソースユニットに参照信号をマッピングするように構成され、少なくとも１つのリソースユニットは、複数のサブリソースユニットを含む。
【０１９０】
トランシーバは、参照信号を送り、端末から、サブリソースユニットの部分に関係する測定情報を受信するように構成される。
【０１９１】
任意選択で、トランシーバは、端末に参照信号の構成情報を送るようにさらに構成される。
【０１９２】
基地局はまた、上記の方法実施形態におけるリソース要求方法を実装するように構成され得、詳細は以下の通りである。
【０１９３】
トランシーバは、端末から参照信号送信要求を受信するように構成される。
【０１９４】
プロセッサは、参照信号送信要求から、リソースユニットタイプ、リソースユニットサイズ、リソースユニット量、参照信号マッピング方式、およびリソースユニットシーケンスの情報のうちの少なくとも１つを取得するように構成される。
【０１９５】
基地局はまた、上記の方法実施形態におけるリソース指示方法を実装するように構成され得る。
【０１９６】
図１１は、端末の概略構造図である。端末は、図１に示すシステムに適用され得る。説明を容易にするために、図１１に、端末の主要構成要素のみを示す。図１１に示すように、端末１０は、プロセッサと、メモリと、制御回路と、アンテナと、入力／出力装置とを含む。プロセッサは、主に、通信プロトコルと通信データとを処理することと、端末全体を制御することと、ソフトウェアプログラムを実行することと、ソフトウェアプログラムのデータを処理することとを行うように構成される。メモリは、主に、ソフトウェアプログラムとデータとを記憶する、たとえば、上記の実施形態において説明したコードブックを記憶するように構成される。制御回路は、主に、ベースバンド信号と無線周波信号との間の変換を実行することと、無線周波信号を処理することとを行うように構成される。制御回路とアンテナとの組合せは、電磁波の形態で無線周波信号を受信／送信するように主に構成されるトランシーバと呼ばれることもある。タッチスクリーン、ディスプレイスクリーン、またはキーボードなどの入力／出力装置は、主に、ユーザによって入力されたデータを受信することと、ユーザにデータを出力することとを行うように構成される。
【０１９７】
端末が電源投入された後、プロセッサは、メモリ中のソフトウェアプログラムを読み取り、ソフトウェアプログラムの命令を解釈および実行し、ソフトウェアプログラムのデータを処理する。データをワイヤレス方式で送る必要があるとき、プロセッサは、送るデータに対してベースバンド処理を実行し、次いで、無線周波数回路にベースバンド信号を出力する。ベースバンド信号に対して無線周波数処理を実行した後に、無線周波数回路は、アンテナを使用することによって電磁波の形態で無線周波信号を送る。データが端末に送られると、無線周波数回路は、アンテナを使用することによって無線周波信号を受信し、ベースバンド信号に無線周波信号を変換し、プロセッサにベースバンド信号を出力する。プロセッサは、データにベースバンド信号を変換し、データを処理する。
【０１９８】
説明を容易にするために、図１１にただ１つのメモリと１つのプロセッサとを示すことを当業者は理解し得る。実際に、端末は、複数のプロセッサとメモリとを含み得る。メモリは、記憶媒体、ストレージデバイスなどと呼ばれることもある。これは、本発明のこの実施形態では限定されない。
【０１９９】
随意の実装では、プロセッサは、ベースバンドプロセッサと中央処理ユニットとを含み得る。ベースバンドプロセッサは、主に、通信プロトコルと通信データとを処理するように構成され、中央処理ユニットは、主に、端末全体を制御することと、ソフトウェアプログラムを実行することと、ソフトウェアプログラムのデータを処理することとを行うように構成される。図１１中のプロセッサは、ベースバンドプロセッサと中央処理ユニットとの機能と一体化される。ベースバンドプロセッサと中央処理ユニットとは、独立したプロセッサであり得、バスなどの技術を使用することによって相互接続される。端末が、様々なネットワーク規格に適応するために複数のベースバンドプロセッサを含み得、端末が、端末の処理能力を向上させるために複数の中央処理ユニットを含み得、端末のすべての構成要素が、様々なバスを使用することによって互いに接続され得ることを当業者は理解し得る。ベースバンドプロセッサはまた、ベースバンド処理回路またはベースバンド処理チップとして表され得る。中央処理ユニットはまた、中央処理回路または中央処理チップとして表され得る。通信プロトコルと通信データとを処理する機能は、プロセッサ中に埋め込まれ得るか、またはソフトウェアプログラムの形態でメモリ中に記憶され得、プロセッサは、ベースバンド処理機能を実施するためにソフトウェアプログラムを実行する。
【０２００】
たとえば、本発明のこの実施形態では、受信および送信機能を有するアンテナと制御回路とは、端末１０のトランシーバユニット１０１と見なされ得、処理機能を有するプロセッサは、端末１０の処理ユニット１０２と見なされ得る。図１１に示すように、端末１０は、トランシーバユニット１１と処理ユニット１０２とを含む。トランシーバユニットは、トランシーバ、トランシーバ、トランシーバ装置などと呼ばれることもある。任意選択で、トランシーバユニット１０１中にある、受信機能を実装するように構成された構成要素は、受信ユニットと見なされ得、トランシーバユニット１０１中にある、送信機能を実装するように構成された構成要素は、送信ユニットと見なされ得、すなわち、トランシーバユニット１０１は、受信ユニットと送信ユニットとを含む。たとえば、受信ユニットは、受信機、受信機、受信機回路などと呼ばれることもあり、送信ユニットは、送信機、送信機、送信回路などと呼ばれることもある。
【０２０１】
端末は、上記の方法実施形態における参照信号の送信方法を実装するように構成され得、詳細は以下の通りである。
【０２０２】
トランシーバは、ネットワークノードから参照信号の構成情報を受信し、構成情報に基づいて、少なくとも１つのリソースユニットにマッピングされた参照信号を受信するように構成され、少なくとも１つのリソースユニットは、複数のサブリソースユニットを含む。
【０２０３】
プロセッサは、受信された参照信号を測定するように構成される。
【０２０４】
トランシーバは、サブリソースユニットの部分に関係する測定情報を送るようにさらに構成される。
【０２０５】
端末はまた、上記の方法実施形態におけるリソース要求方法を実装するように構成され得、詳細は以下の通りである。
【０２０６】
プロセッサは、参照信号送信要求を生成するように構成され、参照信号送信要求は、リソースユニットタイプ、リソースユニットサイズ、リソースユニット量、参照信号マッピング方式、およびリソースユニットシーケンスの情報のうちの少なくとも１つを含む。
【０２０７】
トランシーバは、ネットワークノードに参照信号送信要求を送るように構成される。
【０２０８】
端末はまた、上記の方法実施形態におけるリソース指示方法を実装するように構成され得る。
【０２０９】
本発明の実施形態に記載されている様々な例示的な論理ブロックおよびステップが電子ハードウェア、コンピュータソフトウェア、またはそれらの組合せを使用することによって実装され得ることを当業者はさらに理解し得る。機能がハードウェアによって実装されるのか、またはソフトウェアによって実装されるのかは、特定の適用例およびシステム全体の設計要件に依存する。特定の適用例ごとに、当業者は、機能を実装するために様々な方法を使用し得る。しかしながら、この実装が本発明の実施形態の保護範囲を越えると見なしてはならない。
【０２１０】
本発明の実施形態において説明する様々な例示的な論理ユニットおよび回路は、汎用プロセッサ、デジタル信号プロセッサ、特定用途向け集積回路（ＡＳＩＣ）、フィールドプログラマブルゲートアレイ（ＦＰＧＡ）もしくは別のプログラマブル論理装置、個別ゲートもしくはトランジスタ論理、個別ハードウェア構成要素、または任意のそれらの組合せの設計を使用することによって説明する機能を実装し得るかまたは動作させ得る。汎用プロセッサは、マイクロプロセッサであり得る。任意選択で、汎用プロセッサは、任意の従来のプロセッサ、コントローラ、マイクロコントローラ、または状態機械であり得る。プロセッサはまた、デジタル信号プロセッサおよびマイクロプロセッサ、複数のマイクロプロセッサ、デジタル信号プロセッサコアをもつ１つもしくは複数のマイクロプロセッサ、または任意の他の同様の構成などのコンピューティング装置の組合せを使用することによって実装され得る。
【０２１１】
本発明の実施形態において説明する方法またはアルゴリズムのステップは、ハードウェア、プロセッサによって実行されるソフトウェアユニット、またはそれらの組合せに直接埋め込まれ得る。ソフトウェアユニットは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、または当技術分野における任意の他の形態の記憶媒体中に記憶され得る。たとえば、記憶媒体はプロセッサに接続され得、したがって、プロセッサは、記憶媒体から情報を読み取り、記憶媒体に情報を書き込み得る。任意選択で、記憶媒体はプロセッサに統合され得る。プロセッサと記憶媒体とはＡＳＩＣ中に配設され得、ＡＳＩＣはＵＥ中に配設され得る。任意選択で、プロセッサと記憶媒体とは、ＵＥの異なる構成要素中に配設され得る。
【０２１２】
１つまたは複数の例示的な設計では、本発明の実施形態において説明した機能は、ハードウェア、ソフトウェア、ファームウェア、またはそれらの任意の組合せを使用することによって実装され得る。機能がソフトウェアを使用することによって実装される場合、機能は、コンピュータ可読媒体中に記憶され得るか、または１つもしくは複数の命令もしくはコードの形態でコンピュータ可読媒体に送信される。コンピュータ可読媒体は、コンピュータ記憶媒体とコンピュータプログラムをある位置から別の位置に移動することを可能にする通信媒体とを含む。記憶媒体は、任意の汎用または特殊コンピュータによってアクセスされ得る利用可能な媒体であり得る。たとえば、そのようなコンピュータ可読媒体は、限定はしないが、ＲＡＭ、ＲＯＭ、ＥＥＰＲＯＭ、ＣＤ−ＲＯＭもしくは別の光ディスクストレージ、ディスクストレージもしくは別の磁気ストレージ装置、またはプログラムコードを担持または記憶するために使用され得る任意の他の媒体を含み得、プログラムコードは、命令もしくはデータ構造の形態に、または汎用もしくは特殊コンピュータによってまたは汎用もしくは特殊プロセッサによって読み取られ得る形態にある。さらに、いかなる接続も、適宜に、コンピュータ可読媒体として定義され得る。たとえば、ソフトウェアが、同軸ケーブル、光ファイバ、ツイストペア、デジタル加入者回線（ＤＳＬ）を使用することによってまたは赤外線、無線、またはマイクロ波などのワイヤレス方式でウェブサイト、サーバ、または別のリモートリソースから送信される場合、ソフトウェアは、定義されたコンピュータ可読媒体中に含まれる。ディスク（disk）およびディスク（disc）は、圧縮ディスクと、レーザーディスクと、光ディスクと、ＤＶＤと、フロッピーディスクと、ブルーレイディスクとを含む。ディスク（disk）は、概して、磁気手段によってデータをコピーし、ディスク（disc）は、概して、レーザー手段によって光学的にデータをコピーする。上記の組合せはまた、コンピュータ可読媒体中に含まれ得る。
【０２１３】
本発明における本明細書の上記の説明により、当業者は、本発明のコンテンツを使用または実装することが可能になり得る。開示するコンテンツに基づいて行われるいかなる修正も当技術分野において明らかであると見なすべきである。本発明において説明する基本原理は、本発明の本質および範囲から逸脱することなく他の変形形態に適用され得る。したがって、本発明に開示したコンテンツは、説明する実施形態および設計に限定されず、さらに、本発明の原理および本発明に開示した新しい特徴に一致する最大範囲に拡張され得る。
【図１】
0006783945.tif 000002
【図２】
0006783945.tif 000003
【図３】
0006783945.tif 000004
【図４】
0006783945.tif 000005
【図５】
0006783945.tif 000006
【図６】
0006783945.tif 000007
【図７】
0006783945.tif 000008
【図８】
0006783945.tif 000009
【図９】
0006783945.tif 000010
【図１０】
0006783945.tif 000011
【図１１】
0006783945.tif 000012